(57)【特許請求の範囲】
【請求項１】
（ａ）振動板、該振動板を振動させるドライバユニット、並びに、前記振動板及びドライバユニットを保持する保持部材を備えるスピーカユニットと、
（ｂ）該スピーカユニットの後方を覆うように前記スピーカユニットに取付けられる筐体とを有するスピーカ装置であって、
（ｃ）前記筐体の縦、横及び奥行き方向の寸法は、前記筐体が前記スピーカユニットに取付けられた状態で、前記スピーカユニットの縦、横及び奥行き方向の寸法を超えないように設定され、
（ｄ）前記筐体は、前記振動板の後方に形成された後方空間を備え、
（ｅ）該後方空間は、外部と連通する音質調整孔を備え、
（ｆ）前記筐体は、側壁部の縦方向に延在する内側面に形成された内方に向けて突出する係合凸部を備え、
（ｇ）該係合凸部は、前記筐体が前記スピーカユニットに取付けられた状態で、前記保持部材の側板部の平面部に形成された係合凹部と係合し、これにより、前記筐体が前記保持部材にロックされることを特徴とするスピーカ装置。
【請求項２】
前記音質調整孔は、前記筐体の後壁部に形成され、互いに径の異なる複数の音質調整孔を含む請求項１に記載のスピーカ装置。
【請求項３】
前記保持部材は、前記ドライバユニットを収容するドライバユニット収容部を備え、
該ドライバユニット収容部の少なくとも一部は、前記筐体の外側に露出する請求項１又は２に記載のスピーカ装置。
【発明の詳細な説明】
【技術分野】
【０００１】
本発明は、スピーカ装置に関するものである。
【背景技術】
【０００２】
従来、テレビジョン受信装置等に装着されて音を発生させるためにエンクロージャを有するスピーカ装置が使用されている（例えば、特許文献１参照。）。このようなスピーカ装置は、ダイナミック型のスピーカユニットを有し、該スピーカユニットが備える振動板を振動させて音を発生する。
【０００３】
図８は従来のスピーカ装置の構造を示す断面図である。
【０００４】
図において、８３１はスピーカ装置のフレームであり、スピーカユニットを支持するとともに、周囲に形成された取付部８３５がボルト等によって固定されることにより、テレビジョン受信装置等の音響機器に取付けられる。
【０００５】
そして、前記フレーム８３１の後壁部８３３には、ドライバユニット収容部８３４が接続され、該ドライバユニット収容部８３４内に、スピーカ装置のドライバユニットとして機能するマグネット８４１、キャンセルマグネット８４９、ボトムプレート８４２ａ、トッププレート８４２ｂ、ボイスコイル８４３等が収容される。
【０００６】
また、前記後壁部８３３の前方には、振動板８４６が配設されている。該振動板８４６は、その内周がボイスコイル８４３に結合され、その外周が振動板エッジ部８４７を介して、フレーム８３１の前端に結合されている。なお、前記後壁部８３３の前面には、ボイスコイル８４３を支持するダンパ８４８の外周が結合されている。
【０００７】
さらに、前記後壁部８３３の後方には、ハウジング８１１が取付けられ、その内部に後方空間８２１が形成されている。なお、前記後壁部８３３に形成された開口部８３３ｃによって後壁部８３３の前方と後方空間８２１とが連通している。
【０００８】
これにより、フレーム８３１及びハウジング８１１がエンクロージャ（又はキャビネット）として機能するので、良好な音質を得ることができる。
【先行技術文献】
【特許文献】
【０００９】
【特許文献１】特開２００１−２８５９７９号公報
【発明の概要】
【発明が解決しようとする課題】
【００１０】
しかしながら、前記従来のスピーカ装置においては、エンクロージャを小さくして後方空間８２１の容積を小さくすると、スピーカユニットの性能を十分に発揮することができず、音質が低下してしまう。
【００１１】
近年では、テレビジョン受信装置等の音響機器の小型化及び薄型化が進み、特に、液晶ディスプレイ、プラズマディスプレイ等を使用する薄型テレビジョン受信装置等の音響機器においては、その内部に大型のフレーム８３１及びハウジング８１１を備えたスピーカ装置を取付けるスペースを見出すことが困難である。
【００１２】
しかし、薄型テレビジョン受信装置等の薄くて小型の音響機器に取付けるために、フレーム８３１及びハウジング８１１を小型化すると、エンクロージャが小さくなり、音質が低下してしまう。
【００１３】
本発明は、前記従来のスピーカ装置の問題点を解決して、筐（きょう）体内において振動板の後方に形成された後方空間が音質調整孔（こう）を備えるようにして、筐体の寸法が小さくても、広い周波数帯域において音圧をコントロールすることができ、切れのよい低音及びクリアな中高音を再現することができ、音の再現性が良好で、音質が高いスピーカ装置を提供することを目的とする。
【課題を解決するための手段】
【００１４】
そのために、本発明のスピーカ装置においては、振動板、該振動板を振動させるドライバユニット、並びに、前記振動板及びドライバユニットを保持する保持部材を備えるスピーカユニットと、該スピーカユニットの後方を覆うように前記スピーカユニットに取付けられる筐体とを有するスピーカ装置であって、前記筐体の縦、横及び奥行き方向の寸法は、前記筐体が前記スピーカユニットに取付けられた状態で、前記スピーカユニットの縦、横及び奥行き方向の寸法を超えないように設定され、前記筐体は、前記振動板の後方に形成された後方空間を備え、該後方空間は、外部と連通する音質調整孔を備え、前記筐体は、側壁部の縦方向に延在する内側面に形成された内方に向けて突出する係合凸部を備え、該係合凸部は、前記筐体が前記スピーカユニットに取付けられた状態で、前記保持部材の側板部の平面部に形成された係合凹部と係合し、これにより、前記筐体が前記保持部材にロックされる。
【００１５】
本発明の他のスピーカ装置においては、さらに、前記音質調整孔は、前記筐体の後壁部に形成され、互いに径の異なる複数の音質調整孔を含む。
【００１６】
本発明の更に他のスピーカ装置においては、さらに、前記保持部材は、前記ドライバユニットを収容するドライバユニット収容部を備え、該ドライバユニット収容部の少なくとも一部は、前記筐体の外側に露出する。
【発明の効果】
【００１８】
本発明によれば、スピーカ装置は、筐体内において振動板の後方に形成された後方空間が音質調整孔を備える。これにより、筐体の寸法が小さくても、広い周波数帯域において音圧をコントロールすることができ、切れのよい低音及びクリアな中高音を再現することができ、音の再現性が良好となり、音質を向上させることができる。
【図面の簡単な説明】
【００１９】
【図１】本発明の実施の形態におけるスピーカ装置の斜視図である。
【図２】本発明の実施の形態におけるスピーカ装置の分解図である。
【図３】本発明の実施の形態におけるスピーカ装置の平面図である。
【図４】本発明の実施の形態におけるスピーカ装置の断面図であって図３におけるＡ−Ａ矢視断面図である。
【図５】本発明の実施の形態におけるスピーカ装置のハウジングの断面図であって図４に相当する部分の断面図であり、（ａ）はハウジングがスピーカユニットに取付けられた状態を示す図、（ｂ）はハウジングがスピーカユニットから取外された状態を示す図である。
【図６】本発明の実施の形態におけるスピーカ装置の断面図であって図３におけるＢ−Ｂ矢視断面図である。
【図７】本発明の実施の形態におけるスピーカ装置のハウジングの断面図であって図６に相当する部分の断面図である。
【図８】従来のスピーカ装置の構造を示す断面図である。
【発明を実施するための形態】
【００２０】
以下、本発明の実施の形態について図面を参照しながら詳細に説明する。
【００２１】
図１は本発明の実施の形態におけるスピーカ装置の斜視図、図２は本発明の実施の形態におけるスピーカ装置の分解図、図３は本発明の実施の形態におけるスピーカ装置の平面図である。
【００２２】
図において、１０は本実施の形態におけるスピーカ装置であり、テレビジョン受信装置、ラジオ受信装置、パーソナルコンピュータ、ＣＤプレーヤ、ＤＶＤプレーヤ、ゲーム機等の各種の音響機器に装着されて使用され、電気信号である音声信号によって駆動され、音声信号を再生する音声発生器である。本実施の形態におけるスピーカ装置１０は、小型化することが可能であり、そのため、典型的には、液晶ディスプレイ、プラズマディスプレイ等を使用する薄型テレビジョン受信装置、携帯用パーソナルコンピュータ、ＰＤＡ（Ｐｅｒｓｏｎａｌ  Ｄｉｇｉｔａｌ  Ａｓｓｉｓｔａｎｔ）、携帯用ゲーム機等の薄型又は小型の電気機器、電子機器等に装着されて使用されるが、いかなる種類の、いかなる大きさの電気機器、電子機器等のいかなる部位に装着されて使用されてもよい。
【００２３】
そして、前記スピーカ装置１０は、音声信号を再生して音を発生するスピーカユニット３０と、該スピーカユニット３０の後方を覆うようにスピーカユニット３０に取付けられる筐体としてのハウジング１１とを有する。
【００２４】
なお、本実施の形態において、スピーカ装置１０の各部の構成及び動作を説明するために使用される上、下、左、右、前、後等の方向を示す表現は、絶対的なものでなく相対的なものであり、スピーカ装置１０又はその部品が図に示される姿勢である場合に適切であるが、スピーカ装置１０又はその部品の姿勢が変化した場合には、姿勢の変化に応じて変更して解釈されるべきものである。
【００２５】
そして、前記スピーカユニット３０は、後述されるドライバユニット４０、振動板４６等の各部材を保持する保持部材としてのフレーム３１を有する。該フレーム３１は、典型的には、鉄系合金等の金属製板材に打抜き、折曲げ等の加工を施して一体的に形成された部材であり、前板部３２、連結部３３、ドライバユニット収容部３４及び取付部３５を有する。
【００２６】
前記前板部３２は、平坦（たん）な板状の部材であるが、平面に対するその投影面の外形は、長軸（図３において左右方向に延在する二点鎖線で表される）と短軸（図３において上下方向に延在する一点鎖線で表される）とを備える楕（だ）円、小判形、又は、略長方形のような形状となっている。そして、スピーカユニット３０全体も、平面に対するその投影面の外形は、長軸と短軸とを備える楕円、小判形、又は、略長方形のような形状となっている。換言すると、スピーカユニット３０は、縦方向（長軸方向）の寸法に対して横方向（短軸方向）の寸法が短くなっている。
【００２７】
また、前記連結部３３は、前板部３２から後方に向けて膨出する概略コーン形状又は円錐（すい）台形状の部材であるが、コーン又は円錐台が短軸方向に圧縮された形状となっている。なお、前記連結部３３は、前端が前板部３２に接続された側板部３３ａと、該側板部３３ａの後端に接続され、前記前板部３２と平行な後板部３３ｂとを備える。そして、該後板部３３ｂは、平坦な板状の部材であり、平面に対するその投影面の外形は、ほぼ円形となっている。また、前記側板部３３ａには、該側板部３３ａを板厚方向に貫通する連通開口３３ｃと係合凹部３３ｄとが形成されている。
【００２８】
図に示される例では、前記側板部３３ａにおける長軸方向の部分は、傾斜した円錐面となっているが、短軸方向の部分は、平面に対してほぼ垂直方向に延在する平面、すなわち、前板部３２及び後板部３３ｂにほぼ直交する垂直平面となっている。そして、前記連通開口３３ｃは、円錐面の部分に形成され、前記係合凹部３３ｄは平面の垂直平面部分に形成されている。
【００２９】
さらに、前記ドライバユニット収容部３４は、平面に対するその投影面の外形がほぼ円形の平坦な板状の底板部３４ａと、円筒面状の筒部３４ｂとを備える。該筒部３４ｂは、その後端が底板部３４ａに接続され、その前端が前記連結部３３の後板部３３ｂに接続されている。
【００３０】
前記ドライバユニット収容部３４は、後述されるマグネット４１、コイル４３等を含むドライバユニット４０を収容するケーシングとして機能するとともに、前記ドライバユニット４０の熱を発散する放熱部材としても機能し、さらに、前記マグネット４１とともに磁路を形成するヨークとしても機能する。そのため、ドライバユニット収容部３４は、例えば、軟鉄等の熱伝導率が高く、かつ、透磁率の高い材質から成るものであることが望ましい。
【００３１】
また、前記取付部３５は、前板部３２から後方に向けて延在する接続部３５ａと、該接続部３５ａの後端に接続され、前記前板部３２と平行な固定板部３５ｂと、該固定板部３５ｂに形成された取付開口部３５ｃとを備える。前記接続部３５ａは、その前端が前板部３２の長軸方向の先端に接続され、平面に対してほぼ垂直方向に、すなわち、前板部３２に対して直交するように延在する。また、前記固定板部３５ｂは、スピーカ装置１０が装着される電気機器、電子機器等が備える図示されないスピーカ固定用部材に当接する部分である。さらに、前記取付開口部３５ｃは、ボルト、ビス等の固着部材が挿通される部分である。
【００３２】
なお、前記取付部３５の形状及び寸法は、電気機器、電子機器等の筐体におけるスピーカ装置１０が装着される部位の形状及び寸法に応じて適宜変更される。例えば、前記取付開口部３５ｃの径は、ボルト、ビス等の固着部材の外径に応じて変更される。また、接続部３５ａの前後方向の寸法は、前記電気機器、電子機器等が備えるスピーカ固定用部材の位置に応じて変更される。
【００３３】
また、前記ハウジング１１は、典型的には、合成樹脂等の樹脂から成る一体的に形成された部材であるが、アルミニウム、鋼、銅等の金属から成るものであってもよいし、樹脂、カーボン、金属等を複合した複合材から成るものであってもよい。そして、前記ハウジング１１は、側壁部１２と後壁部１３とを有し、該後壁部１３を底とし、側壁部１２の前端が開放された有底容器状の部材であり、さらに、前記後壁部１３に形成されたドライバユニット収容開口部１４及び音質調整孔１５を有する。
【００３４】
前記後壁部１３は、平坦な板状の部材であるが、平面に対するその投影面の外形は、前記フレーム３１の前板部３２とほぼ同様であり、長軸と短軸とを備える楕円、小判形、又は、略長方形のような形状となっている。図に示される例においては、後壁部１３及び前板部３２は、横方向（短軸方向）の寸法がほぼ同一であるが、縦方向（長軸方向）の寸法については、前板部３２の方が少し大きく形成されている。
【００３５】
このように、スピーカユニット３０又はフレーム３１の前板部３２の縦及び横方向の寸法を超えないようにハウジング１１の縦及び横方向の寸法を設定することが望ましい。これにより、電気機器、電子機器等の内部におけるスピーカ装置１０を装着するスペースが狭く、スピーカユニット３０又はフレーム３１の縦及び横方向の寸法以上の余裕がない場合であっても、スピーカユニット３０にハウジング１１を取付けて使用することが可能となる。
【００３６】
また、前記側壁部１２は、断面形状が後壁部１３の平面形状と等しい筒状の部材であり、後端が後壁部１３の外縁に接続され、後壁部１３に対して直交するように、前方に向けて延出する。なお、前記側壁部１２の前端は、ハウジング１１がスピーカユニット３０に、具体的には、フレーム３１に取付けられた状態において、前板部３２の後面に、後述される第１の弾性シール部材３８ａを介して、対向する。また、前記側壁部１２における端軸方向の内側両面には、内方に向けて突出する係合凸部１２ａが形成されている。該係合凸部１２ａは、ハウジング１１がフレーム３１に取付けられた状態において、前記係合凹部３３ｄと係合する。
【００３７】
さらに、前記ドライバユニット収容開口部１４は、断面形状がほぼ円形の開口であり、後壁部１３における短軸方向及び長軸方向の中心に形成されている。そして、前記ドライバユニット収容開口部１４の内周縁には、断面形状がほぼ円形の筒状の部材であって、後壁部１３に対して直交するように、前方に向けて延出するハウジング筒部１４ｂの後端が接続されている。また、前記ハウジング筒部１４ｂの前端には、円環状の板部材であって、後壁部１３に対して平行にドライバユニット収容開口部１４の中心に向けて延出するフランジ部１４ａの外周縁が接続されている。
【００３８】
前記フランジ部１４ａの内周縁は、ドライバユニット収容部３４の底板部３４ａ及び筒部３４ｂの外径より少し大きな径の円形であり、ドライバユニット収容開口部１４の内周縁及びハウジング筒部１４ｂの内壁面は、フランジ部１４ａの径よりも大きな径の円形である。そして、ハウジング１１がフレーム３１に取付けられた状態において、ドライバユニット収容部３４の底板部３４ａ及び筒部３４ｂと、フランジ部１４ａと、ドライバユニット収容開口部１４の内周縁及びハウジング筒部１４ｂとは、図３に示されるように、後方から観て、同心円となる。また、フランジ部１４ａの内周縁は、筒部３４ｂの外側面に、後述される第２の弾性シール部材３８ｂを介して、対向する。
【００３９】
そして、前記音質調整孔１５は、後壁部１３を板厚方向に貫通する断面円形の孔（あな）であり、第１〜第４音質調整孔１５ａ〜１５ｄを含むものである。なお、該第１〜第４音質調整孔１５ａ〜１５ｄの径は、順番を示す数字が大きくなる程小さくなるように設定されている。前記音質調整孔１５の数及び大きさによって最低共振周波数を制御することができ、種々の周波数帯での音圧をコントロールすることができる。
【００４０】
本実施の形態において第１音質調整孔１５ａの径は、例えば、４．８〔ｍｍ〕である。第１音質調整孔１５ａの径をこのような値とすることによって、比較的高音、例えば、１３００〔Ｈｚ〕を中心とした周波数帯の音圧をコントロールし、周波数レスポンスをよりスムーズにして、音質を向上させることができる。また、第４音質調整孔１５ｄの径は、例えば、０．８〔ｍｍ〕である。第４音質調整孔１５ｄの径をこのような値とすることによって、比較的低音、例えば、８００〔Ｈｚ〕を中心とした周波数帯の音圧をコントロールして、周波数レスポンスをよりスムーズにし、音質を向上させることができる。さらに、第２音質調整孔１５ｂ及び第３音質調整孔１５ｃの径は、それぞれ、例えば、２．８〔ｍｍ〕及び１．２〔ｍｍ〕である。第２音質調整孔１５ｂ及び第３音質調整孔１５ｃの径をこのような値とすることによって、上記の中間の周波数、例えば、９００〜１２００〔Ｈｚ〕近辺の周波数帯の音圧をコントロールし、周波数レスポンスをよりスムーズにして、音質を向上させることができる。
【００４１】
図に示される例において、第１音質調整孔１５ａはドライバユニット収容開口部１４の左右に１つずつ形成され、第２〜４音質調整孔１５ｂ〜１５ｄはドライバユニット収容開口部１４の左右に、それぞれ、２つずつ形成されている。また、第１音質調整孔１５ａは、長軸上に位置し、短軸に関して軸対称となるように配設され、第２〜４音質調整孔１５ｂ〜１５ｄは、長軸及び短軸に関して軸対称となるように配設されている。
【００４２】
なお、音質調整孔１５の径、数及び配置は、図に示される例に限定されるものではなく、コントロールの対象となる音の周波数帯に応じて適宜変更することができる。例えば、低周波数帯域の音をコントロールするためには、音質調整孔１５の径を小さくすればよく、高周波数帯域の音をコントロールするためには、音質調整孔１５の径を大きくすればよい。また、音質調整孔１５の数を多くすると、コントロールの対象となる音の周波数帯域が高くなる。さらに、音質調整孔１５の種類は、第１〜第４音質調整孔１５ａ〜１５ｄの４種類である必要はなく、３種類以下であってもよいし、５種類以上であってもよい。
【００４３】
また、音質調整孔１５としては、平板状の後壁部１３に開けられた孔に音質調整用の突条として筒状体を付加しても良い。この筒状体をハウジング１１の内側に向けて設ければ、ハウジング１１の外形が大きくなることなく、さらなる音質調整が可能である。
【００４４】
次に、前記スピーカ装置１０の内部構造について説明する。
【００４５】
図４は本発明の実施の形態におけるスピーカ装置の断面図であって図３におけるＡ−Ａ矢視断面図、図５は本発明の実施の形態におけるスピーカ装置のハウジングの断面図であって図４に相当する部分の断面図、図６は本発明の実施の形態におけるスピーカ装置の断面図であって図３におけるＢ−Ｂ矢視断面図、図７は本発明の実施の形態におけるスピーカ装置のハウジングの断面図であって図６に相当する部分の断面図である。なお、図５において、（ａ）はハウジングがスピーカユニットに取付けられた状態を示す図、（ｂ）はハウジングがスピーカユニットから取外された状態を示す図である。
【００４６】
図に示されるように、フレーム３１は、スピーカユニット３０が有する磁石としてのマグネット４１、トッププレートとしてのプレート４２、ボイスコイルとしてのコイル４３、ボビン４４、ダストキャップ４５、中心支持部材としてのダンパ４８、コーンとしての振動板４６、振動板支持部材としての振動板エッジ部４７等を保持する。そして、前記フレーム３１のドライバユニット収容部３４内には、スピーカユニット３０のドライバユニット４０として機能するマグネット４１、プレート４２、コイル４３等が収容される。
【００４７】
前記マグネット４１は、保磁力の高い材質から成る永久磁石であり、略円柱状の形状を備える部材である。そして、前記マグネット４１の後面は、ドライバユニット収容部３４の底板部３４ａの内面、すなわち、前面に当接している。
【００４８】
また、前記プレート４２は、磁路を形成するヨークとして機能する部材であり、例えば、軟鉄等の透磁率の高い材質から成る。そして、前記プレート４２は、円盤状の形状を備える板部材であり、その後面はマグネット４１の前面に当接している。
【００４９】
さらに、前記コイル４３は、例えば、銅等の導電性の高い材質から成る導線を巻付けて形成された部材である。そして、前記コイル４３は、全体として肉薄の円筒状の形状を備え、ドライバユニット収容部３４の筒部３４ｂの内側面と、プレート４２の外側面との間の間隙（げき）、すなわち、ギャップ内に、前後方向に移動可能に配設されている。
【００５０】
また、前記コイル４３の前端には、前後方向に延在する円筒状のボビン４４の後端が接続され、前記ボビン４４の前端には円盤状の板部材であるダストキャップ４５が接続されている。そして、前記ボビン４４の外側面には、ダンパ４８の内周縁が接続されている。なお、前記ダンパ４８の外周縁は、フレーム３１の連結部３３における後板部３３ｂの前面に、例えば、接着剤等によって固着されている。これにより、前記コイル４３は、前記ギャップの両面、すなわち、磁極として機能するドライバユニット収容部３４の筒部３４ｂの内側面及びプレート４２の外側面に接触することなく、前後方向に移動可能に保持される。
【００５１】
さらに、前記ボビン４４の外側面には、振動板４６の内周縁が接続されている。なお、前記振動板４６は、前記ダンパ４８よりも前方に配設される。また、前記振動板４６の外周縁は、振動板エッジ部４７を介して、フレーム３１の前板部３２の前面に、例えば、接着剤等によって固着されている。なお、前記振動板エッジ部４７の外周縁近傍の前面には、例えば、ＥＶＡ（エチレン−酢酸ビニル共重合樹脂）等の柔軟性を備える材質から成るガスケット３７が接着剤等によって固着されている。これにより、振動板４６は、振動を妨害されることなく、フレーム３１によって保持される。
【００５２】
また、ハウジング１１がスピーカユニット３０のフレーム３１に取付けられた状態においては、図４及び５（ａ）に示されるように、側壁部１２に形成された係合凸部１２ａが、連結部３３の側板部３３ａに形成された係合凹部３３ｄ内に進入し、これと係合している。そして、側壁部１２の前端と前板部３２の後面との間には、例えば、発泡ウレタン等の弾力性を備える材質から成る第１の弾性シール部材３８ａが挟持されている。
【００５３】
この場合、該第１の弾性シール部材３８ａは、前後方向に圧縮された状態で挟持されている。このことは、ハウジング１１がスピーカユニット３０から取外された状態を示す図５（ｂ）に示される第１の弾性シール部材３８ａと、ハウジング１１がスピーカユニット３０に取付けられた状態を示す図５（ａ）に示される第１の弾性シール部材３８ａとを比較すると明らかである。このように圧縮された第１の弾性シール部材３８ａの弾性的な反発力によって、フレーム３１に取付けられたハウジング１１が後方に向けた押圧力を受けるので、係合凸部１２ａの後端が係合凹部３３ｄの後端に押圧され、係合凸部１２ａと係合凹部３３ｄとは、ロック機構として機能し、相互の係合が確実に維持される。すなわち、ハウジング１１のロック部材としての係合凸部１２ａとフレーム３１のロック部材としての係合凹部３３ｄとが互いにロックすることによって、ハウジング１１とフレーム３１とがロックされて外れなくなる。
【００５４】
したがって、図５（ｂ）に示されるような状態から、ハウジング１１を相対的に前方に移動させてスピーカユニット３０に嵌（は）め付ける、という簡単な作業によって、図５（ａ）に示されるように、係合凸部１２ａと係合凹部３３ｄとが係合し、ハウジング１１がフレーム３１に取付けられた状態で確実にロックされる。また、ハウジング１１は、ある程度弾性変形可能である。したがって、図５（ａ）に示されるような状態のハウジング１１をわずかに弾性変形させて係合凸部１２ａと係合凹部３３ｄとの係合を解除することによって、図５（ｂ）に示されるように、ハウジング１１をスピーカユニット３０から取外すことができる。すなわち、ハウジング１１の着脱を容易に短時間で行うことができる。
【００５５】
なお、ハウジング１１のフランジ部１４ａの内周縁とフレーム３１の筒部３４ｂの外側面との間には、例えば、発泡ウレタン等の弾力性を備える材質から成る第２の弾性シール部材３８ｂが挟持されている。
【００５６】
図６及び７に示されるように、ハウジング１１の前方は、スピーカユニット３０によって、より具体的には、振動板４６、振動板エッジ部４７、ボビン４４及びダストキャップ４５によって閉止され、これにより、ハウジング１１内における振動板４６の後方に、音響空間として機能する後方空間２１が形成される。該後方空間２１は、側壁部１２、後壁部１３、振動板４６、振動板エッジ部４７、ボビン４４及びダストキャップ４５によって周囲を画定された空間である。なお、振動板４６と後壁部１３との間には、フレーム３１の連結部３３の側板部３３ａが配設されているが、図６及び７に示されるような側板部３３ａにおける長軸方向の部分としての円錐面には、図２に示されるように大きな連通開口３３ｃが形成されているので、前記後方空間２１における側板部３３ａの前後は一体的な音響空間として機能すると考えられる。つまり、前記側板部３３ａの存在は、後方空間２１の音響空間としての機能にほとんど影響しない、と言える。
【００５７】
また、ハウジング１１の側壁部１２の前端とフレーム３１の前板部３２の後面との隙（すき）間は、第１の弾性シール部材３８ａによって気密に塞（ふさ）がれ、ハウジング１１のフランジ部１４ａの内周縁とフレーム３１の筒部３４ｂの外側面との隙間は、第２の弾性シール部材３８ｂによって気密に塞がれている。そのため、音質調整孔１５を除けば、後方空間２１は、ハウジング１１の外側の空間と遮断されている。したがって、ハウジング１１は、いわゆる密閉型のエンクロージャとして機能し、スピーカユニット３０の性能を十分に発揮させることができる。
【００５８】
そして、前述のように、後方空間２１の後面であるハウジング１１の後壁部１３には、貫通孔としての音質調整孔１５が形成されている。すなわち、後方空間２１は、外部と連通する音質調整孔１５を備える。具体的には、径の異なる第１〜第４音質調整孔１５ａ〜１５ｄが複数形成されている。そして、前記第１〜第４音質調整孔１５ａ〜１５ｄの数、径、配置等を変更することによって、最低共振周波数を制御することができ、種々の周波数帯での音圧をコントロールすることができる。
【００５９】
これにより、密閉型のエンクロージャとしてのハウジング１１の容積、つまり、音響空間として機能する後方空間２１の容積が小さくても、所望の周波数帯域でスピーカユニット３０の性能を十分に発揮させることができる。
【００６０】
また、ハウジング１１のドライバユニット収容開口部１４内において、フレーム３１のドライバユニット収容部３４の少なくとも一部、具体的には、底板部３４ａ及び筒部３４ｂの外面がハウジング１１の外側に露出している。したがって、ドライバユニット４０が発生する熱をドライバユニット収容部３４の底板部３４ａ及び筒部３４ｂの外面から効率よく放出することができるので、スピーカ装置１０、特にドライバユニット４０の過熱を防止することができる。
【００６１】
さらに、ハウジング筒部１４ｂの内壁面と筒部３４ｂの外側面との間に空間が形成されているので、ドライバユニット４０が発生する熱を筒部３４ｂの外側面からも放出することができ、スピーカ装置１０、特にドライバユニットの過熱をより効果的に防止することができる。なお、フランジ部１４ａの位置をできる限り前方にすることによって、筒部３４ｂの外側面が露出する面積が広くなるので、放熱性能がより向上する。
【００６２】
そして、底板部３４ａの後面と後壁部１３の後面とは、ほぼ面一となっている。なお、図６及び７に示される例においては、底板部３４ａの後面が後壁部１３の後面よりわずかに後方に突出している。このように、後壁部１３の後面が底板部３４ａの後面を超えないように、ハウジング１１の前後方向（奥行き方向）の寸法を設定することが望ましい。換言すると、スピーカユニット３０又はフレーム３１の前後方向（奥行き方向）の寸法を超えないようにハウジング１１の前後方向（奥行き方向）の寸法を設定することが望ましい。これにより、電気機器、電子機器等の内部におけるスピーカ装置１０を装着するスペースが狭く、スピーカユニット３０又はフレーム３１の前後方向（奥行き方向）の寸法以上の余裕がない場合であっても、ハウジング１１を取付けて使用することが可能となる。
【００６３】
このように、本実施の形態において、スピーカ装置１０は、振動板４６、振動板４６を振動させるドライバユニット４０、並びに、振動板４６及びドライバユニット４０を保持するフレーム３１を備えるスピーカユニット３０と、スピーカユニット３０の後方を覆うようにスピーカユニット３０に取付けられるハウジング１１とを有し、ハウジング１１の縦、横及び奥行き方向の寸法は、ハウジング１１がスピーカユニット３０に取付けられた状態で、スピーカユニット３０の縦、横及び奥行き方向の寸法を超えないように設定され、ハウジング１１は、振動板４６の後方に形成された後方空間２１を備え、後方空間２１は、外部と連通する音質調整孔１５を備える。
【００６４】
これにより、スピーカ装置１０を装着するスペースが狭い場合であってもスピーカユニット３０にハウジング１１を取付けた状態でスピーカ装置１０を装着することができ、かつ、ハウジング１１の寸法が小さくても、後方空間２１が音質調整孔１５を備えるので、広い周波数帯域において音圧をコントロールすることができる。したがって、薄くて小型の電気機器、電子機器等の内部のような狭いスペースに装着可能な程度に小型でありながら、切れのよい低音及びクリアな中高音を再現することができ、音の再現性が良好で、音質が高いスピーカ装置１０を提供することができる。
【００６５】
また、音質調整孔１５は、ハウジング１１の後壁部１３に形成され、互いに径の異なる複数の音質調整孔１５を含む。したがって、音質調整孔１５の数及び大きさによって最低共振周波数を制御することができ、種々の周波数帯での音圧をコントロールすることができる。
【００６６】
さらに、フレーム３１は、ドライバユニット４０を収容するドライバユニット収容部３４を備え、ドライバユニット収容部３４の少なくとも一部は、ハウジング１１の外側に露出する。これにより、ドライバユニット４０が発生する熱をドライバユニット収容部３４の外面から効率よく放出することができるので、スピーカ装置１０、特にドライバユニット４０の過熱を防止することができる。
【００６７】
さらに、ハウジング１１は係合凸部１２ａを備え、係合凸部１２ａは、ハウジング１１がスピーカユニット３０に取付けられた状態で、フレーム３１が備える係合凹部３３ｄとロックし、これにより、ハウジング１１がフレーム３１にロックされる。これにより、ハウジング１１の着脱を容易に短時間で行うことができる。
【００６８】
なお、本発明は前記実施の形態に限定されるものではなく、本発明の趣旨に基づいて種々変形させることが可能であり、それらを本発明の範囲から排除するものではない。
【産業上の利用可能性】
【００６９】
本発明は、スピーカ装置に適用することができる。
【符号の説明】
【００７０】
１０    スピーカ装置
１１、８１１    ハウジング
１２    側壁部
１２ａ    係合凸部
１３、８３３    後壁部
１４    ドライバユニット収容開口部
１４ａ    フランジ部
１４ｂ    ハウジング筒部
１５    音質調整孔
１５ａ    第１音質調整孔
１５ｂ    第２音質調整孔
１５ｃ    第３音質調整孔
１５ｄ    第４音質調整孔
２１、８２１    後方空間
３０    スピーカユニット
３１、８３１    フレーム
３２    前板部
３３    連結部
３３ａ    側板部
３３ｂ    後板部
３３ｃ    連通開口
３３ｄ    係合凹部
３４、８３４    ドライバユニット収容部
３４ａ    底板部
３４ｂ    筒部
３５、８３５    取付部
３５ａ    接続部
３５ｂ    固定板部
３５ｃ    取付開口部
３７    ガスケット
３８ａ    第１の弾性シール部材
３８ｂ    第２の弾性シール部材
４０    ドライバユニット
４１、８４１    マグネット
４２    プレート
４３    コイル
４４    ボビン
４５    ダストキャップ
４６、８４６    振動板
４７、８４７    振動板エッジ部
４８、８４８    ダンパ
８３３ｃ    開口部
８４２ａ    ボトムプレート
８４２ｂ    トッププレート
８４３    ボイスコイル
８４９    キャンセルマグネット
【図１】
0005548554.tif 000002
【図２】
0005548554.tif 000003
【図３】
0005548554.tif 000004
【図４】
0005548554.tif 000005
【図５】
0005548554.tif 000006
【図６】
0005548554.tif 000007
【図７】
0005548554.tif 000008
【図８】
0005548554.tif 000009